(57)【要約】    【課題】  煩雑なプレートの加工等を必要とせず、しかも発光素子を簡単に取付けることができるようにした自発光式表示ユニットを提供する。    【解決手段】  自発光式表示ユニットを表示プレート(11)、取付けねじ(13)及び発光素子(16)で構成する。文字及び／又は図案を表示する表示プレートは透明又は半透明な材料で構成し、表裏面に貫通してねじ用穴(11A)を形成する。取付けねじは表示プレートのねじ用穴に挿通して表示プレートを固定構造部分(10)に取付ける一方、ねじ用穴の内面に対面する部位に窓部(13A)を開口するとともに、軸線に沿って素子用穴(13B)を窓部に連通して形成する。発光素子は取付けねじの素子用穴に挿入し、窓部から表示プレートの内部に向けて光を入射させるようにする。【選択図】  図３
2006053202.tif 000002
【特許請求の範囲】
【請求項１】
透明又は半透明な材料で構成され、文字及び／又は図案が表示され、表裏面に貫通してねじ用穴が形成された表示プレートと、
上記ねじ用穴に挿通されて上記表示プレートを固定構造部分に取付ける一方、上記ねじ用穴の内面に対面する部位に窓部が開口されるとともに、軸線に沿って素子用穴が上記窓部に連通して形成された取付けねじと、
該取付けねじの素子用穴に挿入され、上記窓部から表示プレートの内部に向けて光を入射させる発光素子とを備えたことを特徴とする自発光式表示ユニット。
【請求項２】
上記固定構造部分がベースプレートである請求項１記載の自発光式表示ユニット。
【請求項３】
上記文字及び／又は図案が上記表示プレートに刻設されている請求項１記載の自発光式表示ユニット。
【請求項４】
上記表示プレートが表札である請求項１ないし３のいずれかに記載の自発光式表示ユニット。
【請求項５】
上記表示プレートが看板である請求項１ないし３のいずれかに記載の自発光式表示ユニット。
【発明の詳細な説明】
【技術分野】
【０００１】
この発明は自発光式表示ユニットに関し、特に煩雑なプレートの加工等を必要とせず、しかも発光素子を簡単に取付けることができるようにしたユニットに関する。
【背景技術】
【０００２】
例えば、一戸建て住宅や集合住宅等では門柱や玄関に表札が設けられるのが一般的であるが、夜間において表札の文字を確実に認識できるように、光源を内蔵した自発光式表示ユニットが提案されている（特許文献１）。
【０００３】
しかし、外方から表札を投光する方式では光量の多い光源、例えば蛍光灯や電球を必要とし、表示ユニットが大型化してしまうばかりでなく、蛍光灯や電球の場合にはいわゆる球切れが発生するので、保守点検（メンテナンス）を必要とする。
【０００４】
他方、ＬＥＤ（発光ダイオード）は輝度が低いものの、レイアウトスペースが少なくて済み、消費電力が少なくて寿命が長く、省エネルギーやメンテナンスにおける利点は大きい。
【０００５】
そこで、ＬＥＤの光を表札の側面から入射させることにより表札の全体を面発光させるようにした自発光式表示ユニットが提案されている（特許文献２、特許文献３）。
【特許文献１】特開２００１−１００６８０号公報
【特許文献２】特開２００２−２７９８１７号公報
【特許文献３】特開２０００−３０５４９７号公報
【発明の開示】
【発明が解決しようとする課題】
【０００６】
しかし、上記特許文献記載の自発光式表示ユニットでは表札プレートにＬＥＤを収納する凹部を設ける必要があり、表札のプレートの加工やＬＥＤの取付けが複雑であるという問題があった。
【０００７】
本発明はかかる問題点に鑑み、煩雑なプレートの加工等を必要とせず、しかもＬＥＤを簡単に取付けることができるようにした自発光式表示ユニットを提供することを課題とする。
【課題を解決するための手段】
【０００８】
そこで、本発明に係る自発光式表示ユニットは、透明又は半透明な材料で構成され、文字及び／又は図案が表示され、表裏面に貫通してねじ用穴が形成された表示プレートと、上記ねじ用穴に挿通されて上記表示プレートを固定構造部分に取付ける一方、上記ねじ用穴の内面に対面する部位に窓部が開口されるとともに、軸線に沿って素子用穴が上記窓部に連通して形成された取付けねじと、該取付けねじの素子用穴に挿入され、上記窓部から表示プレートの内部に向けて光を入射させる発光素子とを備えたことを特徴とする。
【０００９】
本発明の特徴の１つは表示プレートを固定構造部分に取付けるための取付けねじに素子用穴を軸線に沿って形成し、素子用穴に窓部を形成して表示プレートの内部に光を入射できるようにした点にある。
【００１０】
これにより、表札等のプレートに発光素子、例えばＬＥＤを収納するための凹部を形成するという煩雑な加工を必要とせず、又簡単にＬＥＤを取付けることができる。
【００１１】
表示プレートは門柱や玄関等の固定構造部分に直接取付けるようにしてもよく、又門柱や玄関等に取付けるベースプレートに取付けねじで取付けるようにしてもよい。即ち、固定構造部分をベースプレートとすることができる。
【００１２】
また、表示プレートには文字及び／又は図案をプリントしたフィルムを貼り合わせるようにしてもよいが、文字及び／又は図案を表示プレートに刻設すると、文字や図案が発光素子の光に映え、より一層好ましい。
【００１３】
表示プレート及びベースプレートの材質は特に限定されず、例えば表示プレートには透明又は半透明のガラスやプラスチックを用いることができる。また、ベースプレートにはテラコッタ、木材、金属材料、その他の素材を用いることができる。
【００１４】
本発明は表札に適用するとその効果が大きいが、看板に適用することもできる。また、発光素子にはＬＥＤその他の素子を用いることができる。
【発明を実施するための最良の形態】
【００１５】
以下、本発明を図面に示す具体例に基づいて詳細に説明する。図１ないし図４は本発明に係る自発光式表示ユニットの好ましい実施形態を示す。図において、固定構造部分であるベースプレート１０には表示プレート１１がスペーサ１２を介して取付けられている。      
【００１６】
このベースプレート１０はテラコッタ、木材、金属材料等を用いて四角形板状に製作され、ベースプレート１０の四隅にはねじ用穴１０Ａが表裏面に貫通して形成され、ねじ用穴１０Ａの裏面側には拡大段部が形成されて取付けボルト（取付けねじ）１３の頭部が回り止めされるようになっている。
【００１７】
また、表示プレート１１は透明ガラスを用いて四角形板状に製作され、表示プレート１１の四隅にはねじ用穴１１Ａが形成され、又表示プレート１１には複数の文字、例えば表札を示す文字が刻設されている。
【００１８】
ベースプレート１０及び表示プレート１１のねじ用穴１０Ａ、１１Ａ及びスペーサ１２の挿通穴には取付けボルト１３が挿通されて袋ナット１４に螺合されており、これによってベースプレート１１に表示プレート１１がスペーサ１２を介して取付けらている。
【００１９】
取付けボルト１３には表示プレート１１のねじ用穴１１Ａの内面に対面する部位に窓部１３Ａが形成されるとともに、素子用穴１３Ｂが軸線に沿ってかつ窓部１３Ａに連通して形成されている。
【００２０】
この取付けボルト１３の素子用穴１３ＢにはＬＥＤ（発光素子）１６が挿入されて適切な部材、例えば栓部材（図示せず）によって挿入した位置に保持され、ＬＥＤ１６からの電源線は制御装置（図示せず）に接続されており、ＬＥＤ１６の光は窓部１３Ａから表示プレート１１の内部に向けて光が入射されるようになっている。
【００２１】
このように表示プレート１１にＬＥＤ１６を収納するための凹部を形成するという煩雑な加工は必要とせず、又取付けボルト１３を利用してＬＥＤ１６を簡単に取付けることができる。
【００２２】
なお、取付けボルト１３にはＬＥＤ１６を雨水による濡れを回避するためにシリコン樹脂等を用いて防水処理をおこなってもよい。また、制御装置は商用電源を電源とするものでもよく、太陽電池を電源とするものでもよい。特に、太陽電池を電源とすると、メンテナンスの必要性を少なくできる。
【００２３】
また、表示プレート１１の四隅のＬＥＤ１６は単一色としてもよく、複数色、例えばＲＧＢの色を発光させるようにしてもよく、又各素子用穴に例えばＲＧＢの色を発する３つのＬＥＤを挿入するようにしてもよく、このようにＲＧＢの色を発光させるようにするとあらゆる色の演出ができるようになる。
【図面の簡単な説明】
【００２４】
【図１】本発明に係る自発光式表示ユニットの好ましい実施形態を示す概略斜視図である。
【図２】上記実施形態を示す分解斜視図である。
【図３】上記実施形態における取付け状態を示す断面構成図である。
【図４】上記実施形態を示す要部拡大図である。
【符号の説明】
【００２５】
１０      ベースプレート（固定構造部分）
１１      表示プレート
１１Ａ      ねじ用穴
１３      取付けボルト（取付けねじ）
１３Ａ      窓部
１３Ｂ      素子用穴
１６      ＬＥＤ（発光素子）
【図１】
2006053202.tif 000003
【図２】
2006053202.tif 000004
【図３】
2006053202.tif 000005
【図４】
2006053202.tif 000006